(57)【要約】      （修正有）【課題】口鼻周辺の空間が大きく、密封性がよく、安定で快適な着用性を有し、外観が上品であり、自然に話すこと、および呼吸がスムーズで息苦しさを感じない超立体型マスクを提供する。【解決手段】立体カップ、３次元密封軟質樹脂環、滑り防止ポケット、高伸縮性ゴムバンドを含む。多層濾過材を立体状カップに加熱プレスする。鼻梁緩衝材を有する３次元密封軟質樹脂環の外縁と立体カップの周辺を加熱プレス接着し、滑り防止ポケットと立体カップの下縁部を接着する。高伸縮性ゴムバンドの両端を、それぞれ立体カップ縁部の中間部と左右対称に接着することを特徴とする。【選択図】図１
0003160631.tif 000002
【実用新案登録請求の範囲】
【請求項１】
立体カップ（１０）、３次元密封軟質樹脂環（２０）、滑り防止ポケット（４０）、高伸縮性ゴムバンド（３０）を含み、多層濾過材を立体状カップ（１０）に加熱プレスし、鼻梁緩衝材（２１）を有する３次元密封軟質樹脂環（２０）の外縁と立体カップ（１０）周辺を加熱プレス接着し、滑り防止ポケット（４０）と立体カップ（１０）の下縁部を接着し、高伸縮性ゴムバンド（３０）の両端をそれぞれ、立体カップ（１０）縁部の中間部と左右対称に接着することを特徴とする、超立体型マスク。
【請求項２】
前述の立体カップ（１０）が、多層濾過材を加熱プレスして形成した突起状物で、立体カップ（１０）の濾過層および顔面の間は十分な空間が維持され、立体カップ（１０）の周辺形状が顔面構造と同じであることを特徴とする、請求項１に記載の超立体型マスク。
【請求項３】
前述の３次元密封軟質樹脂環（２０）が、その上端中間部の鼻梁緩衝材（２１）と一体であり、軟質材料を採用して、射出成型により人の顔面構造と一致する３次元環状を形成し、その外縁およびカップ（１０）周辺を加熱プレス接着することを特徴とする、請求項１に記載の超立体型マスク。
【請求項４】
前述の滑り防止ポケット（４０）に高伸縮性材料を採用し、立体カップ（１０）下縁部に接着させて、ポケット状物を形成することを特徴とする、請求項１に記載の超立体型マスク。
【請求項５】
前述の高伸縮性ゴムバンド（３０）に高伸縮性材料を採用し、側面がＨ型であり、両端をそれぞれ立体カップ（１０）縁部の中間部と左右対称に接着することを特徴とする、請求項１に記載の超立体型マスク。
【考案の詳細な説明】
【技術分野】
【０００１】
本考案は衛生マスク、特に、衛生的な場所でほこりや細菌の侵入を防護するのに使用する、不織布および軟質材料を製造原料とした超立体型マスクに関する。
【背景技術】
【０００２】
医療機関、食品加工業界、精密品製造業界、およびその他の衛生要求が比較的高い場所で、不織布衛生マスクが広く使用されている。公共の場所であっても、衛生マスクを着用する人が増えてきている。衛生マスクは医療用品としてだけでなく、日用品としても幅広く受け入れられており、衛生マスクに対する要求もしだいに高まっている。それゆえに、衛生マスクの実用性、経済性、安全性、美観性、快適性が重要視されている。
【０００３】
現在、市場で普及している不織布衛生マスクは、平面型マスクに限られている。平面型マスクの着用方法は、典型的な「密閉型」であり、濾過効率を保証するため、後頭部または耳の後ろにしっかりとはめる必要がある。着用者は口鼻の窒息感、耳元の痛み、顔面の発汗不良などを感じ、言葉を発しにくいことすらある。眼鏡の着用者が、平面型マスクを着用した場合、吐き出した息がマスク上部の隙間に沿って伝い、レンズで「霧」が発生し、着用者の視力に大きな影響を及ぼす。
【０００４】
既存の平面型マスクの使用において、着用快適性が悪い、呼吸がしにくい、気密性が悪い、言葉を発しにくい、などの欠点が多く存在することがわかる。
【考案の概要】
【考案が解決しようとする課題】
【０００５】
本考案の目的は、以上の技術不足に対して、構造が簡単で実用的である、安定で快適な着用性を有する、外観が上品である、口鼻部分に非常に大きな快適空間を確保することができる、呼吸がスムーズにできる、自然に話すことができる、気密性および安全性が高い、超立体型マスクを提供する。
【課題を解決するための手段】
【０００６】
本考案の目的は、以下の技術手段によって実現した。超立体型マスクは、立体カップ、３次元密封軟質樹脂環、滑り防止ポケット、高伸縮性ゴムバンドを含む。多層濾過材を立体状カップに加熱プレスし、鼻梁緩衝材を有する３次元密封軟質樹脂環の外縁と立体カップ周辺を加熱プレス接着する。滑り防止ポケットと立体カップの下縁部を接着し、高伸縮性ゴムバンドの両端をそれぞれ立体カップ縁部の中間部と左右対称に接着することを特徴とする。
【０００７】
超立体型マスクの使用において、立体状カップを顔面の口鼻部に軽くかぶせると、立体状カップ固有の立体空間により、着用者は口鼻の前部に十分な広さを感じる。カップ周辺と加熱プレス接着した３次元密封軟質樹脂環そのものの形状と、着用者の口鼻周辺の顔の構造は一致する。さらに、非常に強力な柔軟性を有しており、３次元密封軟質樹脂環の接触面は、顔および鼻梁に密着する。同時に鼻梁緩衝材が鼻梁および周辺をしっかりと「包む」。このほか、高伸縮性ゴムバンドの伸縮効果により、立体カップ下縁部に接着した滑り防止ポケットが着用者のあごを「囲む」。これにより、３次元密封軟質樹脂環のすべての接触面が、しっかりと顔面に密着するのを保証し、カップが滑るのを防止する。
【０００８】
本考案は従来のマスクと比較して、従来のマスクが着用者の顔面の凹凸によって、気密性を効果的に保証することができない欠点を根本から解決する。非常に強力な気密性効果を達成し、吸ったり吐いたりする息をすべて、カップを通して濾過するのを保証すると同時に、着用快適性も高める。
【考案の効果】
【０００９】
以上からわかるように、本考案の有益な効果は、構造が簡単で実用的である、安定で快適な着用性を有する、外観が上品である、口鼻部分に非常に大きな快適空間を確保することができる、呼吸がスムーズである、自然に話すことができる、気密性が高い、濾過性を高めることができる、安全性が高いことである。
【図面の簡単な説明】
【００１０】
本考案の目的、特徴および利点をはっきりと理解するため、以下に図を組み合わせて、本考案の好適な実施例に対して具体的に説明を行う。
【００１１】
【図１】図１は、本考案超立体型マスクの全体構造図である。
【図２−１】図２−１は、本考案超立体型マスクの着用中の側面図である。
【図２−２】図２−２は、本考案超立体型マスクの着用中の立体図である。
【図３−１】図３−１は、本考案超立体型マスクの立体カップの正面図である。
【図３−２】図３−２は、本考案超立体型マスクの立体カップの側面図である。
【図３−３】図３−３は、本考案超立体型マスクの立体カップの上面図である。
【図４−１】図４−１は、本考案超立体型マスクの３次元密封軟質樹脂環の正面図である。
【図４−２】図４−２は、本考案超立体型マスクの３次元密封軟質樹脂環の側面図である。
【図４−３】図４−３は、本考案超立体型マスクの３次元密封軟質樹脂環の立体図である。
【図５】図５は、本考案超立体型マスクの高伸縮性ゴムバンドの立体図である。
【考案を実施するための形態】
【００１２】
以下に示すのは、本考案の好適な実施例であり、本考案が保護する範囲を限定するものではない。
【実施例】
【００１３】
図１、図２−１、図２−２を参照されたい。本考案は立体カップ１０、３次元密封軟質樹脂環２０、滑り防止ポケット４０、高伸縮性ゴムバンド３０を含む。多層濾過材を立体状カップ１０に加熱プレスする。３次元密封軟質樹脂環２０の外縁と立体カップ１０周辺を加熱プレス接着し、滑り防止ポケット４０と立体カップ１０の下縁部を接着する。高伸縮性ゴムバンド３０はＨ型で、その両端をそれぞれ立体カップ１０縁部の中間部と左右対称に接着することを特徴とする。本考案全体の外観は上品である。
【００１４】
さらに、図１、図２−１、図２−２を参照されたい。高伸縮性ゴムバンド３０の材質に高伸縮性材料を採用しており、使用時に軽く後頭部にかけるだけでよい。滑り防止ポケット４０は幅広形状であり、その縁部と立体カップ１０の下縁部を接着後、おのずとポケット状物を形成する。着用すると、伸縮作用によって着用者のあごを「囲み」、カップが滑るのを防止する。本考案の使用において、着用を安定かつ固定し、取り外しを簡単にする。
【００１５】
図３−１、図３−２、図３−３を参照されたい。本考案のカップ１０は多層不織布、濾過布の縁部を加熱プレスにより立体状にする。立体構造の正面視角および口鼻の３角形状の分布は似ており、その立体感および口鼻の立体構造は一致する。異なる材質および層数の通気性材料を採用し、濾過層の厚みによって、濾過機能の高低が決まる。カップ１０の周辺１１を緊密に加熱プレス接着すると、中央部は突起状１２となり、カップ１０の縁部が口鼻構造と一致する立体状の３次元形状を示す。口鼻およびカップ１０の濾過層の間は、十分に広い空間が維持される。したがって、カップの立体空間の大きさと、濾過および通気機能を高くできることを保証する。着用中に、スムーズで自然かつ快適に話すことができ、たとえ長時間着用しても、息苦しさを感じない。
【００１６】
図４−１、図４−２、図４−３を参照されたい。本考案の３次元密封軟質樹脂環２０には、柔軟性が非常に高い軟質材料を採用し、射出成型により環状を形成する。その構造の正面視角および口鼻の３角形状の分布は似ており、側面の立体構造は、口鼻周辺の顔の構造と一致する。３次元密封軟質樹脂環２０の外縁２３およびカップ１０の周辺１１を加熱プレス接着する。３次元密封軟質樹脂環２０の外縁２３は、顔面との接触面２２の構造および口鼻周辺の顔の構造と一致する。着用中、接触面２２は高伸縮性ゴムバンド３０の作用により、顔に密着する。したがって、顔に非常に高い気密性、快適性を有することを保証する。
【００１７】
図４−１、図４−２、図４−３を参照されたい。３次元密封軟質樹脂環２０の上端中間部と一体化した鼻梁緩衝材２１にも、柔軟性が非常に高い軟質材料を採用し、３次元密封軟質樹脂環２０と同時に射出成型して薄片状にする。着用時、鼻梁緩衝材２１は鼻の頭より上の鼻梁および周辺をしっかりと「包む」。これは着用者の鼻および顔の凹凸により、気密性を効果的に保証することができない欠点を根本的に解決し、非常に高い気密性を達成した。眼鏡の着用者がマスクを着用するとき、密封が緩く、空気が漏れることで、レンズが「曇る」現象が起きるのを防止する。特に手術中、執刀医および助手の視力が影響を受けることはなく、医療事故の確率を低下させる。
【００１８】
図５、図２−２を参照されたい。本考案の高伸縮性ゴムバンド３０は高伸縮性材料を採用し、２本の帯状物をＨ状に形成して、左右対称に立体カップ１０の両側に接着する。着用時、２本の帯状物は「結合した」状態で後頭部に位置する。全体として、本考案の３次元密封軟質樹脂環２０を動かして、顔面部に密着させ、鼻梁緩衝材２１が鼻梁および周辺を「包み」、滑り防止ポケット４０が着用者のあごを「囲む」。
【符号の説明】
【００１９】
１０  立体カップ
１１  周辺
１２  突起状
２０  ３次元密封軟質樹脂環
２１  鼻梁緩衝材
２２  接触面
２３  外縁
３０  高伸縮性ゴムバンド
４０  滑り防止ポケット
【図１】
0003160631.tif 000003
【図２−１】
0003160631.tif 000004
【図２−２】
0003160631.tif 000005
【図３−１】
0003160631.tif 000006
【図３−２】
0003160631.tif 000007
【図３−３】
0003160631.tif 000008
【図４−１】
0003160631.tif 000009
【図４−２】
0003160631.tif 000010
【図４−３】
0003160631.tif 000011
【図５】
0003160631.tif 000012